(57)【要約】      （修正有）【課題】保護管内部に向けての流動性のあるレジンの注入を極めて迅速に行うこともできるようにしてある電線接続函を提供する。【解決手段】両側には、夫々上側を開口させた電線導入部用収容部１５を配置し、それらの両者間には上側を開口させた状態で位置させてある電線接続部用収容部６を備えさせ、上記電線接続部用収容部は底部材と、底部材の両側から夫々立ち上がっている側壁部材９を備えており、上記電線導入部用収容部は、電線導入部を支える為の底部分１７と、底部分の両側から夫々立ち上がっている側壁部分１８を備えており、上記両側の電線導入部用収容部の電線導入部用収容空間と、電線接続部用収容部の電線接続部用収容空間７とは連通する状態で一体化させてある本体２と、上記電線接続部用収容部の開口部１２と、上記両側の電線導入部用収容部の開口部分２０とに対応させた蓋体とを備えている。【選択図】図９
2015142457.tif 000002
【特許請求の範囲】
【請求項１】
両側には、夫々上側を開口させた電線導入部用収容部を配置し、それらの両者間には上側を開口させた状態で位置させてある電線接続部用収容部を備えさせ、
上記電線接続部用収容部は底部材と、底部材の両側から夫々立ち上がっている側壁部材を備えており、
上記電線導入部用収容部は、電線導入部を支える為の底部分と、底部分の両側から夫々立ち上がっている側壁部分を備えており、
上記両側の電線導入部用収容部の電線導入部用収容空間と、電線接続部用収容部の電線接続部用収容空間とは連通する状態で一体化させてある本体と、
さらに、上記電線接続部用収容部の開口部と、上記両側の電線導入部用収容部の開口部分とに対応させた蓋体とを備えており、
上記本体における電線接続部用収容部の側壁部材の開口縁の高さは、
電線接続部用収容部の内部所定位置に電線接続部を配設した状態において、その電線接続部の上部と下部の位置に対して夫々所定の絶縁効果が得られる分量のレジンを上記の開口部から充填注入する場合、流動性のあるレジンが上記側壁部材の上部の開口縁から溢れ出ないような充分な高さに構成してあり、  
上記電線接続部用収容部の開口部の両側における２つの開口縁、相互間の距離は、挿入予定の電線接続部を上方から電線接続部用収容空間の所定位置に向けて挿入可能に広く形成してあることを特徴とする電線接続函。 
【請求項２】
両側には、夫々上側を開口させた電線導入部用収容部を配置し、それらの両者間には上側を開口させた状態で位置させてある電線接続部用収容部を備えさせ、
上記電線接続部用収容部は底部材と、底部材の両側から夫々立ち上がっている側壁部材を備えており、
上記電線導入部用収容部は、電線導入部を支える為の底部分と、底部分の両側から夫々立ち上がっている側壁部分を備えており、
上記両側の電線導入部用収容部の電線導入部用収容空間と、電線接続部用収容部の電線接続部用収容空間とは連通する状態で一体化させてある本体と、
さらに、上記電線接続部用収容部の開口部と、上記両側の電線導入部用収容部の開口部分とに対応させた蓋体とを備えており、
しかも、上記蓋体は、上記電線接続部用収容部の開口部に被せ付けるための電線接続部収容部用蓋体要素と、上記両側の電線導入部用収容部の開口部分に被せ付けるための電線導入部用蓋体要素とを別体にして、上記電線接続部用収容部に対して、レジンを注入するに先立って、上記両側の電線導入部用収容部の開口部分を閉塞可能に形成し、
上記本体における電線接続部用収容部の側壁部材の開口縁の高さは、
電線接続部用収容部の内部所定位置に電線接続部を配設した状態において、その電線接続部の上部と下部の位置に対して夫々所定の絶縁効果が得られる分量のレジンを上記の開口部から充填注入する場合、流動性のあるレジンが上記側壁部材の上部の開口縁から溢れ出ないような充分な高さに構成してあり、  
上記電線接続部用収容部の開口部の両側における２つの開口縁、相互間の距離は、挿入予定の電線接続部を上方から電線接続部用収容空間の所定位置に向けて挿入可能に広く形成してあることを特徴とする電線接続函。 
【請求項３】
上記両側の電線導入部用収容部の夫々における底部分の電線導入部の受面の上には、挿入予定の電線の断面積が小さい場合に上記電線導入部用収容部の夫々の底部分における電線導入部の受面の位置を高くして、電線導入部の上側と電線導入部用蓋体要素の下面との間に介在させる弾性シーリングが過大になることを防止する為の受け部材を介在除去を自在に備えさせたことを特徴とする請求項１乃至２記載の電線接続函。
【発明の詳細な説明】
【技術分野】
【０００１】
本発明は、比較的大きな電力を伝送するために用いられている電線の相互を接続する場合に、その接続部に対して用いられる電線接続函に関する。
【背景技術】
【０００２】
従来の電線接続函は、例えば特許文献１に示される電線の接続函を含めて広く知られている。
上記特許文献１に示されるケーブル導体の接続函は、その記載に基づけば、次のように構成されている。
【０００３】
ケーブル導体接続部を絶縁被覆する保護管であって、管軸方向に半割された１対の金属製の半割管体からなり、これらの半割管体を組み合わせたときにそれぞれが前記方向両側に備える２つ割り面で互いに接合可能とされてなる構成になされている。
【先行技術文献】
【特許文献】
【０００４】
【特許文献１】特開２０１１−８３１７２号公報
【発明の概要】
【発明が解決しようとする課題】
【０００５】
上記の従来のケーブル導体接続部函では、筒状の保護管が、管軸方向に分割され、半割状態の２つの保護管要素を合体させて１つの筒状の保護管を構成するので、
保護管の内部に対してケーブル導体の接続部を位置させる場合には、筒状の保護管を２つの半割状態の保護管要素に分離させ、その内の１つの保護管要素の開口部を上向きにして、上記電線の接続部を挿入すると、電線の接続部を極めて簡易迅速に所定場所に位置させる  
【０００６】
しかし、上記電線の接続部の上下左右の空間に対して、ほぼ均等に絶縁性のレジンを充填配置して所定の絶縁効果を期待しようとすると、半割状態の１つの保護管要素を下側に配置した状態では、レジンを充填時、流動性のあるレジンが半割状態の保護管要素の上向開口部から溢れて、電線接続部の上に流動性のあるレジンを重ねることができず、目的を達成することはできない。
【０００７】
従って、残る１つの保護管要素を上から被せ付けして、２つの保護管要素を合着させ、かつ、上側の保護管要素の上部の壁に小さな穴を複数箇所に備えさせ、それらの小さな穴から保護管内部に向けて流動性のあるレジンを注入し、電線接続部の周囲に対してレジンが均等の厚みになるように注入する作業が行われている。
【０００８】
この「小さな穴から保護管内部に向けて流動性のあるレジンを『ちまちま』と注入するレジン注入作業」は、長時間を要し、苦痛を伴う問題点がある。
その上、「小さな穴から保護管内部に向けて流動性のあるレジンを注入する場合」には、内部に凹凸のある電線接続部が存在するので、これがレジンの流動を妨げ、レジンの充填斑が生じ、部分的に絶縁効果が少なくなる部分が発生する品質上の問題点もある。
【０００９】
また、従来品においては、保護管の両側に存在する電線導入部用収容部におけるシール手段が困難なため、即ち、２つの保護管要素を合着させる工程と、その工程において両側の電線導入部用収容部における液もれ防止構造の構築を同時に行うことは困難を伴うため、シール構造が甘くなり、電線導入部用収容部から、外部に向けてレジンが流出する（液漏れする）問題点がある
【００１０】
さらにまた、従来品においては、両側の電線導入部用収容部の大きさが一定になっているため、現場において、これに配置すべき電線本数が多く（または少なく）なったり、電線が太く（または細く）なったりする等、予定と相違していた場合には、両側の導入部の液もれ防止構造の構築が困難になる問題点がある。
【００１１】
本件出願の目的は、上記課題を解決するもので、保護管内部に向けての流動性のあるレジンの注入を極めて迅速に行うこともできるようにしてある電線接続函を提供しようとするものである。
他の目的は、導入口に於ける液漏れ防止構造の構築が容易となる 電線接続函を提供しようとするものである。
他の目的は、対象とする電線本数が多く（または少なく）なったり、電線が太く（または細く）なったりしても、対応できるようにした電線接続函を提供しようとするものである。
【００１２】
他の課題、目的及び利点は図面及びそれに関連した以下の説明により容易に明らかになるであろう。
【課題を解決するための手段】
【００１３】
本発明における電線接続函は、
両側には、夫々上側を開口させた電線導入部用収容部１５を配置し、それらの両者間には上側を開口させた状態で位置させてある電線接続部用収容部６を備えさせ、
上記電線接続部用収容部６は底部材８と、底部材８の両側から夫々立ち上がっている側壁部材９を備えており、
上記電線導入部用収容部１５は、電線導入部３３を支える為の底部分１７と、底部分１７の両側から夫々立ち上がっている側壁部分１８を備えており、
上記両側の電線導入部用収容部１５の電線導入部用収容空間１６と、電線接続部用収容部６の電線接続部用収容空間７とは連通する状態で一体化させてある
本体２と、
さらに、上記電線接続部用収容部６の開口部１２と、上記両側の電線導入部用収容部１５の開口部分２１とに対応させた蓋体２４とを備えており、
上記本体２における電線接続部用収容部６の側壁部材９の開口縁１１の高さは、
電線接続部用収容部６の内部所定位置に電線接続部３２を配設した状態において、その電線接続部３２の上部と下部の位置に対して夫々所定の絶縁効果が得られる分量のレジン３０を上記の開口部１２から充填注入する場合、流動性のあるレジンが上記側壁部材９の上部の開口縁１１から溢れ出ないような充分な高さに構成してあり、  
上記電線接続部用収容部６の開口部１２の両側における２つの開口縁１１、１１相互間の距離W1は、挿入予定の電線接続部３２を上方から電線接続部用収容空間７の所定位置に向けて挿入可能に広く形成してある。 
【００１４】
また好ましくは、 両側には、夫々上側を開口させた電線導入部用収容部１５を配置し、それらの両者間には上側を開口させた状態で位置させてある電線接続部用収容部６を備えさせ、
上記電線接続部用収容部６は底部材８と、底部材８の両側から夫々立ち上がっている側壁部材９を備えており、
上記電線導入部用収容部１５は、電線導入部３３を支える為の底部分１７と、底部分１７の両側から夫々立ち上がっている側壁部分１８を備えており、
上記両側の電線導入部用収容部１５の電線導入部用収容空間１６と、電線接続部用収容部６の電線接続部用収容空間７とは連通する状態で一体化させてある本体２と、
さらに、上記電線接続部用収容部６の開口部１２と、上記両側の電線導入部用収容部１５の開口部分２１とに対応させた蓋体２４とを備えており、
しかも、上記蓋体２４は、上記電線接続部用収容部６の開口部１２に被せ付けるための電線接続部収容部用蓋体要素２５と、上記両側の電線導入部用収容部１５の開口部分２１に被せ付けるための電線導入部用蓋体要素２６とを別体にして、上記電線接続部用収容部６に対して、レジンを注入するに先立って、上記両側の電線導入部用収容部１５の開口部分２１を閉塞可能に形成し、
上記本体２における電線接続部用収容部６の側壁部材９の開口縁１１の高さは、
電線接続部用収容部６の内部所定位置に電線接続部３２を配設した状態において、その電線接続部３２の上部と下部の位置に対して夫々所定の絶縁効果が得られる分量のレジン３０を上記の開口部１２から充填注入する場合、流動性のあるレジンが上記側壁部材９の上部の開口縁１１から溢れ出ないような充分な高さに構成してあり、  
上記電線接続部用収容部６の開口部１２の両側における２つの開口縁１１、１１相互間の距離W1は、挿入予定の電線接続部３２を上方から電線接続部用収容空間７の所定位置に向けて挿入可能に広く形成してある。
【００１５】
また好ましくは、上記両側の電線導入部用収容部１５の夫々における底部分１７の電線導入部の受面17aの上には、挿入予定の電線の断面積が小さい場合に上記電線導入部用収容部１５の夫々の底部分１７における電線導入部の受面17aの位置を高くして、電線導入部３３の上側と電線導入部用蓋体要素２６の下面26aとの間に介在させる弾性シーリング２８が過大になることを防止する為の受け部材３７を介在、除去を自在に備えさせた。
【発明の効果】
【００１６】
以上のように本発明においては、本体２における電線接続部用収容部６の側壁部材９の開口縁１１の高さH2を、電線接続部用収容部６の内部所定位置に電線接続部３２を配設した状態において、その電線接続部３２の上部と下部の位置に対して夫々所定の絶縁効果が得られる分量のレジン３０を上記の開口部１２から充填注入する場合、流動性のあるレジンが上記側壁部材９の上部の開口縁１１から溢れ出ないような充分な高さに構成してあるので、従来のように、電線接続部３２の上部を覆い尽くしてレジンの漏れを防止する必要はなく、上記の開口部１２を広く大きく開放させることのできる特長がある。このことは、上記の開口部１２を幅方向においても、また、電線の長手方向においても大きくし、電線導入部用収容空間７に対する電線接続部３２の挿入作業、電線導入部用収容空間７に対するレジン３０の注入作業を迅速に行うことができるようにすると共に、電線導入部用収容空間７の隅々にまでレジンを供給し、内部での充填斑を防止できる効果がある。
【００１７】
さらに、蓋体２４を、上記電線接続部用収容部６の開口部１２に被せ付けるための電線接続部収容部用蓋体要素２５と、上記両側の電線導入部用収容部１５の開口部分２１に被せ付けるための電線導入部用蓋体要素２６との別体にすることにより、上記電線接続部用収容部６に対して、レジンを注入するに先立って、上記両側の電線導入部用収容部１５の開口部分２１を閉塞可能に形成したことにより、両側の電線導入部用収容部１５の開口部分２１に電線導入部用蓋体要素２６を被せ付ける作業は、電線接続部収容部用蓋体要素２５が存在しないことにより、極めて手軽となり、収容部１５の内部に弾性シーリング２８が存在していても、これを押さえ込んでの正確な装着作業を迅速に行える効果がある。
その上、収容部１５の開口部分２１に対して、予め電線導入部用蓋体要素２６を装着することにより、電線接続部用収容部６の長手方向の両側が完全に塞がれるので、該収容部６の開口部１２を上記のように広くすることを可能ならしめる効果がある。
【００１８】
さらに、上記受け部材３７を備させることにより、現場において突然、挿入予定の電線の断面積が小さくなった場合でも、上記受け部材３７を、上記底部分１７の電線導入部の受面17aの上に夫々装備させると、夫々の電線導入部用収容部１５の面積は小さくなり、細くなった電線の断面積に対応して釣り合いの良い状態になる効果がある。
その上、電線導入部用収容部１５において電線導入部３３の断面積が実質的に小さくなると、電線導入部３３の中心部は電線導入部17aに近づき、電線導入部３３の上側と、電線導入部用蓋体要素２６の下面26aとの間に介在させる弾性シーリング２８が、実質的に過大になるのであるが、上記構成にあってはこのような問題を防止する効果がある。
【図面の簡単な説明】
【００１９】
【図１】電線接続函の斜視図。
【図２】図１のＩＩ−ＩＩ線断面図。
【図３】（Ａ）は図１のＩＩＩ−ＩＩＩ線断面図、（Ｂ）は電線導入部用収容空間に弾性シーリングを納め、電線導入部用蓋体要素を浮かした状態の断面図、（Ｃ）は上記弾性シーリングを電線導入部用蓋体要素で圧縮した状態を示す断面図。
【図４】電線接続函の正面図。
【図５】本体と、電線接続部と、蓋体と、弾性シーリングとの関係を説明するために相互を分離して表示した斜視図。
【図６】電線接続部に対して弾性シーリングを備えさせた状態の斜視図。
【図７】（Ａ）は本体の電線接続部用収容空間に電線接続部を納めた状態の斜視図、（Ｂ）は（Ａ）の平面図、（Ｃ）は本体における側壁部材の手前側を破断して内部の電線接続部と弾性シーリングとの関係が分かるようにした一部破断正面図。
【図８】（Ａ）は、図7（Ａ）の状態にある本体の上方は解放させた状態において、弾性シーリングの存在する部分に対して電線導入部用蓋体要素のみを被せ付けた状態を示す斜視図。（Ｂ）は電線導入部用蓋体要素を電線導入部用収容部に括り付けた状態を示す平面図。
【図９】本体の内側に収納されている電線接続部に対して、電線接続部よりも大きな開口部からレジンを注入している状態を説明するための斜視図。
【図１０】（Ａ）は、本体の開口部に対して電線接続部収容部用蓋体要素を被せ付けた状態の一部破断（内部の電線接続部の位置関係が分かるように破断）斜視図。（Ｂ）は、（Ａ）図の左側面図、（Ｃ）はインシュロックで縛られている仕上がり品の平面図。
【図１１】電線接続部用収容空間と電線接続部との位置関係を説明するために図１１のＸＩ−ＸＩ線での断面を表す断面図。
【図１２】（Ａ）は、本体と、電線接続部と、蓋体と、弾性シーリングと、受け部材との関係を説明するために相互を分離して表示した斜視図。（Ｂ）は電線導入部用収容部の内側に受け部材を重合させた状態の断面図。
【発明を実施するための形態】
【００２０】
以下本発明の実施の形態を図面を用いて説明する。図において、１は、図５に表れている電線（例えばケーブル、絶縁電線等）３１、３１相互を接続する場合に用いられる電線接続函を示す。全体の材質としては絶縁性のある硬質の材料が用いられる。例えばポリカーボネート材が用いられ、好ましくは透明材であればよいが、不透明材でも良い。
【００２１】
２は、電線接続函１の本体を示す。本体２の両側（電線３１の長手方向、本体２の長手方向の両側）には、図５に表れているように夫々上側を開口２１させた電線導入部用収容部１５を、端面部材１０における連結部１９で連結させた状態（１体化させた状態）で配置している。
このことは、導入部用収容部１５、１５の両者間には、図１、図５に表れているように上側を開口１２させた状態で位置させてある電線接続部用収容部６を備えることになる。
上記電線接続部用収容部６は、底部材８と、底部材８の両側から夫々立ち上がっている側壁部材９、９を備えている。さらに両側端面には、図１に表れているように端面部材１０が配置されている。これらの部材で囲まれる電線接続部用収容空間７には、工事現場において図７に表れているように電線接続部３２が収納される。
【００２２】
上記電線導入部用収容部１５は、電線３１における電線導入部（電線３１の端部で、図７に表れているように電線接続函１の導入部に位置させる部分）３３を支える為の底部分１７と、底部分１７の両側から夫々立ち上がっている側壁部分１８、１８を備えている。
上記両側の電線導入部用収容部１５、１５と、電線接続部用収容部６とは相互の空間１６、１６と、空間７とが相互に連通する状態で一体化させてある。
【００２３】
次に、上記本体２における電線接続部用収容部６の側壁部材９の開口縁１１及び電線導入部用収容部１５における側壁部分１８の開口縁部２０の高さH2、H2’は、電線接続部用収容部６の内部所定位置に、図７、８に表れているように電線接続部３２を配設した状態において、その電線接続部３２の上部と下部の位置に対して夫々所定の絶縁効果（絶縁抵抗）が得られる分量のレジン３０（絶縁充填物３０のことで、例えばレジン、コンパウンド等と称され、従来のケーブル導体接続部函にも用いられているもの）を充填注入した場合、流動性のあるレジンが上記側壁部材９の上部の開口縁１１から溢れ出ないような充分な高さに構成してある。なお、電線導入部用収容部１５における側壁部分１８の開口縁部２０の高さは、電線導入部用蓋体要素２６の上面が、上記の側壁部材９の開口縁１１の高さと同様になればレジン３０の流出は防止出来るので、実質的にはやや低くても良い。
なお、図２のH1は本体２の全高を、H3は電線接続部用収容部６の内部の高さを、また、H4は、電線導入部用蓋体要素２６の厚みを示す。
【００２４】
次に、上記電線接続部用収容部６の開口部１２における２つの側壁部材９、９相互間の距離W1は、挿入予定の電線接続部３２を上方から電線接続部用収容空間７の所定位置に向けて、図７に表れている状態に挿入可能に、電線接続部３２の幅よりも広く形成してある。
【００２５】
さらに、上記電線接続部用収容部６の開口部１２と、上記両側の電線導入部用収容部１５の開口部分２１には、それらの開口部を塞ぐために、夫々対応させた大きさの蓋体２４を備えさせてある。その蓋体２４としては、図５において、２つの電線導入部用蓋体要素２６、２６と、電線接続部収容部用蓋体要素２５とを相互に分割して、作業の進行に伴って個別に装着利用できるようにしてある蓋を示す。なお現場の要求に対応しては、これらが１体に成形されているものであってもよい。なお25aは、蓋が左右に外れないようにするための滑り止め用突片、25bは結束用紐（例えばインシュロックと称される紐２９）の滑り止め用溝、26aは滑り止め用突片、26bは結束用紐の滑り止め用溝、26cは弾性シーリング２８（例えばコンプリバンド、パテ等と称されてレジンの漏れを防止するために用いられている）を押し圧して電線導入部用収容部１５の両側から外部に向けてレジンが漏れるのを防止するためのの凸部を示し、これらは必要に応じて備えられる。
【００２６】
このように、上記実施例においては、蓋体２４に関し、電線接続部用収容部６の開口部１２と、上記両側の電線導入部用収容部１５の開口部分２１とに夫々対応させた蓋体要素２５と、蓋体要素２６、２６とを備えており、即ち、上記蓋体２４は、上記電線接続部用収容部６の開口部１２に被せ付けるための電線接続部収容部用蓋体要素２５とは上記両側の電線導入部用収容部１５の開口部分２１に被せ付けるための電線導入部用蓋体要素２６を別体にして、上記電線接続部用収容部６に対してレジンを注入するに先立って、図８に表れているように上記両側の電線導入部用収容部１５の開口部分２１を、電線接続部用収容部６の開口部１２の存在とは関係なく、閉塞可能に形成するものであるから、両側に存在する電線導入部用収容部１５の導入口２２からの液漏れを防止する作業は、上記電線接続部用収容部６に対するレジン注入作業に先立って、独立した状態で完璧な状態にすることのできる作業上の効果がある。  
【００２７】
上記構成の電線接続函１を用いて電線接続部３２を保護する作業について説明する。
現場においては、周知のように設計に基づき任意の複数の電線31a、31b、31cが接続される。例えば図５に表れているように１本の電線31aと、２本の電線31b、31cが接続される場合がある。
図５の場合、電線接続部３２は周知の接続の構成例を示す。例えば31dは絶縁被覆が除かれた裸導線、32aは裸導線31dの先部32dに連結（例えば圧着接続等周知の接続方法）して接続された周知の丸形端子、32bは重合状態にある複数の丸形端子32aを締め付けるためのボルト、32cはボルト32bに対応させたナットで複数の丸形端子32a相互の接離を自在にするものである。
【００２８】
現場においては、図５のように構成されている電線接続部３２の両側における電線導入部３３、３３の周囲に対して図６のように弾性シーリング２８（例えばコンプリバンド28a、パテ28b等）を装着する。この装着は、絶縁充填物注入時（図９の状態の時）、電線導入部３３、３３の周囲から流動性のある状態の絶縁充填物３０、例えばレジン、コンパウンド等が漏れないようにするためのもので、その量は、図３（B）の状態から、電線導入部用蓋体要素２６を図３（C）の状態に被せて圧着することを可能にする程度の量がよい。
次に、図６の状態に構成された電線接続部３２は、電線接続部用収容部６と、電線導入部用収容部１５、１５に対して、図7に記載したように、上方位置から開口部１２、開口部分２１、２１を通過させて挿入する。図７の状態において電線導入部用収容部１５の内側に位置する弾性シーリング２８、２８と電線導入部用収容部１５との関係は、図３（B）のように弾性シーリング２８が盛り上がった状態になる。
【００２９】
また、電線接続部３２の主体２に対する高さの関係位置（図11に表れているように上部位置30aと、下部位置30bに絶縁充填物３０が充填される結果、業界で定められる絶縁効果が夫々得られる距離）は、端面部材１０に連結されている電線導入部用収容部１５の底部分１７における電線導入部の受面17aの高さ位置によって定められる。
【００３０】
次に、図７の状態にある電線導入部３３に対して電線導入部用蓋体要素２６を図３、８に表れているように圧着する。この圧着工程は、主体２の開口部１２に対する電線接続部収容部用蓋体要素２５の被せ付けに先立って、単独で行うことができるので、主体２の開口部１２の存在に邪魔されることなく、集中して正確に行うことができる。このような工程により、図３（B）（C）から明らかなように弾性シーリング２８を密度高く充填でき、流動性のある絶縁充填物３０が漏れないようにすることができる。
【００３１】
次に図９に表れているように電線接続部３２（電線３１）の長手方向及び幅方向に向けて大きな空間が形成されている開口部１２に対して流動性のある絶縁充填物３０を注入する。この場合、開口部１２が電線接続部３２の幅方向に広いので電線接続部３２の幅方向の隅々に至るまで狙いをつけて（図８の（B）参照）、急速充填作業を行うことができ、充填作業の能率向上に効果がある。
また、開口部１２が電線接続部３２の長手方向に長いので、電線接続部３２の前後に位置する裸導線31d、31dの周囲に対しても充填残り（空洞ができない状態）に充填できる作業上の効果がある。
【００３２】
最後に電線接続部用収容部６の開口部１２に電線接続部収容部用蓋体要素２５を図10、１、２に表れているように被せ付け、それの外周（電線接続部用収容部６、電線導入部用収容部１５）を図10（C）からも明らかなように、紐（例えばインシュロック）２９で縛り、全体を一体化する。
なお、３４は、側壁部分１８、１８の対向部分に夫々形成した透孔を示し、必要に応じて電線導入部３３と側壁部分１８を一体化させる場合に用いられる紐を通すためのものである。
【００３３】
次に図１２は、両側の電線導入部用収容部１５、１５の異なる例を示すものである。
上記両側の電線導入部用収容部１５、１５の夫々における底部分１７の電線導入部の受面17aの上には、挿入予定の電線３１の断面積が小さくなる場合（挿入予定電線が細くなる、あるいは電線の本数が減少することによって、合計した電線３１の断面積が減少する）場合に上記電線導入部用収容部１５の夫々の底部分１７における電線導入部の受面17aの位置を実質的に高くしようとするものである。
その理由は、挿入予定の電線３１の断面積が小さくなると、その中心位置は下降し、電線導入部の受面17aに近づく、すると、電線導入部３３の上側と、電線導入部用蓋体要素２６の下面26aとの間が遠くなり、そこに介在させる弾性シーリング２８が過大になる。
その結果、電線導入部３３の上側と下側とでは圧縮比率が相違し、圧縮に粗密が生じ、液漏れの原因となる。
【００３４】
そこで図１２においてはこのような事故を防止するために断面がＵ字状に形成された受け部材（アタッチメント）３７を電線導入部の受面17aの上に介在、除去を自在に備えさせた。
図１２における受け部材３７において、３８、３８は側壁部分１８、１８の内面に対応（嵌合密着）させるように形成した側壁、３９は、底部分１７の内面に対応（嵌合密着）させるように形成した底部材、４０は弾性シーリング２８を受け止めるための受け面、４１は弾性シーリング２８を備える電線導入部３３（図６参照）を収容する空間を示す。４２は上記透孔３４と連通させる紐通し用の孔を示し、全体は電線導入部用収容部１５の内側に対して密着状態での装着と、取り出し自在に装着できるよう弾力性のある任意の絶縁材料で形成してある。
なお、図１２において前出の図のものと機能、性質、手段又は特徴等が同一又は均等構成と考えられる部分には、前出の図と同一の符号を付して重複する説明を省略した。
【符号の説明】
【００３５】
１・・・電線接続函、
２・・・本体、
６・・・電線接続部用収容部、
７・・・電線接続部用収容空間、
８・・・底部材、
９・・・側壁部材、
１０・・・端面部材、                       
１１・・・開口縁、
１２・・・開口部、
１５・・・電線導入部用収容部、
１６・・・電線導入部用収容空間、
１７・・・底部分、
17a・・・電線導入部の受面
１８・・・側壁部分、
１９・・・連結部、
２０・・・開口縁部、
２１・・・開口部分、
２４・・・蓋体、
２５・・・電線接続部収容部用蓋体要素、
２６・・・電線導入部用蓋体要素、
２８・・・弾性シーリング（例えばコンプリバンド28a、パテ28b等）、
２９・・・紐（インシュロック）、
３０・・・絶縁充填物（例えばレジン、コンパウンド等）
３１・・・電線（例えばケーブル、絶縁電線等）、
31d・・・  裸導線
３２・・・電線接続部、
32a・・・丸形端子
３３・・・電線導入部、
３４・・・透孔、
３７・・・受け部材、
【図１】
2015142457.tif 000003
【図２】
2015142457.tif 000004
【図３】
2015142457.tif 000005
【図４】
2015142457.tif 000006
【図５】
2015142457.tif 000007
【図６】
2015142457.tif 000008
【図７】
2015142457.tif 000009
【図８】
2015142457.tif 000010
【図９】
2015142457.tif 000011
【図１０】
2015142457.tif 000012
【図１１】
2015142457.tif 000013
【図１２】
2015142457.tif 000014